(57)【要約】      （修正有）【課題】情報を表示する表示板や多様なゲームボードのいずれにも適用ができ、手作り感と素朴感を、子供やお年寄りまで幅広く楽しむことのできる平易性を兼ね備えた、多機能ボードを提供する。【解決手段】本多機能ボード１は、ｍ×ｎ列（ｎ、ｍは整数）のマス５を有する格子状の第１フレーム部材２と、第１フレーム部材２の底面に取り付けられ、ｍ×ｎ列のマス５の一方の開放面を閉鎖する底板３と、ｍ×ｎ列のマス５のいずれかのマス５に出し入れ可能な所定形状を有する複数のブロック部材４と、を備え、第１フレーム部材２の底板３からの高さは、ブロック部材４の底板３からの高さよりも低く、ブロック部材４は複数の面を有すると共に複数の面のそれぞれは異なる範疇の情報の一部を表示し、複数のブロック部材４が、第１フレーム部材２に、所定のルールで嵌め込まれると、所定の表示を行える。【選択図】図１
0003154746.tif 000002
【実用新案登録請求の範囲】
【請求項１】
ｍ×ｎ列（ｎ、ｍは整数）のマスを有する格子状の第１フレーム部材と、
前記第１フレーム部材の底面に取り付けられ、前記ｍ×ｎ列のマスの一方の開放面を閉鎖する底板と、
前記ｍ×ｎ列のマスのいずれかのマスに出し入れ可能な所定形状を有する複数のブロック部材と、を備え、
前記第１フレーム部材の前記底板からの高さは、前記ブロック部材の前記底板からの高さよりも低く、
前記ブロック部材は複数の面を有すると共に前記複数の面のそれぞれは異なる範疇の情報の一部を表示し、
前記複数のブロック部材が、前記第１フレーム部材に、所定のルールで嵌め込まれると、所定の表示を行える多機能ボード。
【請求項２】
前記ブロック部材は、立方体もしくは直方体であって６つの面を有する請求項１記載の多機能ボード。
【請求項３】
前記６つの面のそれぞれは、カレンダーに必要な情報要素、英語のアルファベット、ひらがな文字、カタカナ文字、常用漢字、将棋の駒、囲碁の駒、オセロの駒およびチェスの駒のいずれかを、前記情報の一部として表示する請求項２記載の多機能ボード。
【請求項４】
前記複数のブロック部材が、前記第１フレーム部材に、所定ルールで固定される場合には、特定の情報を伝達する表示機能を有し、
前記複数のブロック部材が、前記第１フレーム部材に、所定ルールで入れ替えられる場合には、特定のゲームとしての遊戯機能を有する請求項１から３のいずれか記載の多機能ボード。
【請求項５】
前記表示機能は、カレンダー、伝言伝達および表札の少なくとも１つの機能を有し、前記遊戯機能は、単語ゲーム、オセロ、将棋、囲碁およびチェスの少なくとも１つのゲームを有する請求項４記載の多機能ボード。
【請求項６】
前記ｍ×ｎ列は、９列×９列である請求項１から５のいずれか記載の多機能ボード。
【請求項７】
前記第１フレーム部材と高さ方向で重ねられ、前記第１フレーム部材と同じマス目の格子状を有する第２フレーム部材を更に有し、
前記第１フレーム部材と前記第２フレーム部材とが底板を基準に高さ方向に重ねられた場合の前記底板からの高さは、前記ブロック部材の前記底板からの高さ以上となる請求項１から６のいずれか記載の多機能ボード。
【請求項８】
前記第２フレーム部材は、前記底板と対向する蓋を有し、前記底板および前記蓋の少なくとも一方は透明もしくは半透明である請求項７記載の多機能ボード。
【請求項９】
前記第１フレーム部材と前記第２フレーム部材とを接続する接続部材を更に備える請求項７又は８記載の多機能ボード。
【請求項１０】
前記第１フレーム部材および前記第２フレーム部材の少なくとも一方は、前記ｍ×ｎ列のマスの個数を増加させる、延長部材を取り付け可能である請求項１から９のいずれか記載の多機能ボード。
【考案の詳細な説明】
【技術分野】
【０００１】
本考案は、必要な部材を並び替えるだけで、カレンダーや伝言ボードなどの情報表示を行ったり、オセロや将棋などのゲームを行ったりできる多機能ボードに関するものである。
【背景技術】
【０００２】
近年の電子技術の発達により、カレンダーや伝言は、パソコンや携帯端末で表示されたり、液晶画面で表示されたりすることが多い。また、コンピューターゲームの発達により、現代人は、電子ゲームに興じることが多く、昔ながらのオセロや将棋のようなボードゲームであっても、電子機器上で楽しまれることが多くなっている。
【０００３】
一方で、このような電子機器一辺倒の状態からの回帰現象もあって、昔ながらの手作り感のある万年カレンダーや伝言ボードが好まれたり、電子機器ではないボードゲームが好まれたりするレトロ傾向も高まっている。加えて、このような手作り感のある万年カレンダーやボードゲームは、高齢者や身体障害者の手作業によって製造されることも多く、このような人々への仕事の提供にも役立っている。
このような傾向の中、万年カレンダーに関する技術が提案されている（例えば、特許文献１、２参照）。また、ボードゲームに関する技術も提案されている（例えば特許文献３参照）。
【先行技術文献】
【特許文献】
【０００４】
【特許文献１】特開２００６−２１８７７９号公報
【特許文献２】特開平１１−１４９２４５号公報
【特許文献３】特開２００３−３２００７１号公報
【考案の概要】
【考案が解決しようとする課題】
【０００５】
しかしながら、特許文献１や特許文献２が開示する万年カレンダーは、カレンダーの要素を切り替える余分な機構がありコストが増加したり、使用が面倒になったりする。また、特許文献１，２が開示する技術は、万年カレンダーを提供することのみに着目しており、手作り感を楽しませる要素を有していない。当然ながら、万年カレンダー以外での利用方法がない。
万年カレンダーとしての利用方法以外がなければ、この万年カレンダーをさまざまな用途に用いる楽しみも得られない。
【０００６】
特許文献３は、ボードゲームにおける遊戯性を高める技術を開示する。しかしながら、複雑な構造を有しており、製造コストが高まったり、使用が面倒になったりする問題もある。また、ボードゲームの遊戯性を高めることはできるが、その分使用方法が面倒になり、子供や老人など、さまざまな使用者にとって使い勝手のよいゲームとはなりにくい。
また、当然ながら、特許文献３の技術は、ゲーム以外に使用することができず、例えばカレンダーや伝言ボードなどのような情報伝達手段には使用できない。
【０００７】
万年カレンダーやボードゲームは、情報伝達の機能に絞り込んだ商品を欲する年代や遊戯性の高い遊びを欲する年代に適したマーケットも存在するが、一般家庭で、手作り感を楽しみながら子供やお年寄りなどが一緒に楽しめる遊戯性を有するゲームとしての利用や、ゲームのみならずカレンダーや伝言などの情報伝達媒体としての利用を求めるマーケットも存在する。特許文献１〜３は、これらのマーケットを満足させる技術ではない。
【０００８】
また、特許文献１〜３に開示される技術は、特定の機能のみに絞られており、情報表示を行ったり、多様なゲームを提供したりすることもできない。
本考案は、上記課題を解決し、情報を表示する表示板や多様なゲームボードのいずれにも適用ができ、手作り感と素朴感を、子供やお年寄りまで幅広く楽しむことのできる平易性を兼ね備えた、多機能ボードを提供することを目的とする。
【課題を解決するための手段】
【０００９】
上記課題に鑑み、本考案の多機能ボードは、ｍ×ｎ列（ｎ、ｍは整数）のマスを有する格子状の第１フレーム部材と、第１フレーム部材の底面に取り付けられ、ｍ×ｎ列のマスの一方の開放面を閉鎖する底板と、ｍ×ｎ列のマスのいずれかのマスに出し入れ可能な所定形状を有する複数のブロック部材と、を備え、第１フレーム部材の底板からの高さは、ブロック部材の底板からの高さよりも低く、ブロック部材は複数の面を有すると共に複数の面のそれぞれは異なる範疇の情報の一部を表示し、複数のブロック部材が、第１フレーム部材に、所定のルールで嵌め込まれると、所定の表示を行える。
【考案の効果】
【００１０】
本考案の多機能ボードは、カレンダーや伝言板などの情報表示機能を発揮したり、多様なゲームとしての遊戯機能を発揮したり、１つの物品だけで、幅広い用途を提供できる。
また、いずれの用途においても平易な作業で利用できるので、子供やお年寄りなどでも楽しむことができる。
ゲームとして使用される際には、家族そろって楽しむことができ、ゲームとして使用しない際には、カレンダーや伝言板などの情報表示装置として、家族にとっての活用価値を提供できる。
また、ブロック部材の面に表示される情報要素を切り替えるだけで、情報表示機能であっても、遊戯機能であっても、その用途を広げることができる。
【図面の簡単な説明】
【００１１】
【図１】本考案の実施の形態における多機能ボードの斜視図である。
【図２】本考案の実施の形態における多機能ボードの斜視図である。
【図３】本考案の実施の形態における多機能ボードの正面図である。
【図４】本考案の実施の形態における多機能ボードの正面図である。
【図５】本考案の実施の形態における多機能ボードの斜視図である。
【図６】本考案の実施の形態における多機能ボードの正面図である。
【図７】本考案の実施の形態における多機能ボードの正面図である。
【図８】本考案の実施の形態における多機能ボードの斜視図である。
【図９】本考案の実施の形態における多機能ボード１の側面図である。
【図１０】本考案の実施の形態における多機能ボードの正面図である。
【図１１】本考案の実施の形態における多機能ボードの正面図である。
【図１２】本考案の実施の形態における多機能ボードの正面図である。
【考案を実施するための形態】
【００１２】
本考案の第１の考案に係る多機能ボードは、ｍ×ｎ列（ｎ、ｍは整数）のマスを有する格子状の第１フレーム部材と、第１フレーム部材の底面に取り付けられ、ｍ×ｎ列のマスの一方の開放面を閉鎖する底板と、ｍ×ｎ列のマスのいずれかのマスに出し入れ可能な所定形状を有する複数のブロック部材と、を備え、第１フレーム部材の底板からの高さは、ブロック部材の底板からの高さよりも低く、ブロック部材は複数の面を有すると共に複数の面のそれぞれは異なる範疇の情報の一部を表示し、複数のブロック部材が、第１フレーム部材に、所定のルールで嵌め込まれると、所定の表示を行える。
【００１３】
この構成により、多機能ボードは、表示を有するブロック部材の入れ替えによって、情報を表示したり、遊戯機能を発揮したりできる。
【００１４】
本考案の第２の考案に係る多機能ボードでは、第１の考案に加えて、ブロック部材は、立方体もしくは直方体であって６つの面を有する。
【００１５】
この構成により、ブロック部材は多くの情報を表示できる。特に異なる範疇の情報を表示できる。
【００１６】
本考案の第３の考案に係る多機能ボードでは、第２の考案に加えて、６つの面のそれぞれは、カレンダーに必要な情報要素、英語のアルファベット、ひらがな文字、カタカナ文字、常用漢字、将棋の駒、囲碁の駒、オセロの駒およびチェスの駒のいずれかを、情報の一部として表示する。
【００１７】
この構成により、多機能ボードは、情報表示機能および遊戯機能を、種々の形態によって発揮できる。
【００１８】
本考案の第４の考案に係る多機能ボードでは、第１から第３のいずれかの考案に加えて、複数のブロック部材が、第１フレーム部材に、所定ルールで固定される場合には、特定の情報を伝達する表示機能を有し、
複数のブロック部材が、第１フレーム部材に、所定ルールで入れ替えられる場合には、特定のゲームとしての遊戯機能を有する。
【００１９】
この構成により、多機能ボードは、様々なゲーム機能を提供できる。
【００２０】
本考案の第５の考案に係る多機能ボードでは、第４の考案に加えて、表示機能は、カレンダー、伝言伝達および表札の少なくとも１つの機能を有し、遊戯機能は、単語ゲーム、オセロ、将棋、囲碁およびチェスの少なくとも１つのゲームを有する。
【００２１】
この構成により、多機能ボードは、様々なゲーム機能を提供できる。
【００２２】
本考案の第６の考案に係る多機能ボードでは、第１から第５のいずれかの考案に加えて、ｍ×ｎ列は、９列×９列である。
【００２３】
この構成により、多機能ボードは、将棋、チェス、オセロのいずれにも使用可能である。
【００２４】
本考案の第７の考案に係る多機能ボードでは、第１から第６のいずれかの考案に加えて、第１フレーム部材と高さ方向で重ねられ、第１フレーム部材と同じマス目の格子状を有する第２フレーム部材を更に有し、第１フレーム部材と第２フレーム部材とが底板を基準に高さ方向に重ねられた場合の底板からの高さは、ブロック部材の底板からの高さ以上となる。
【００２５】
この構成により、多機能ボードは、ブロック部材をすっぽりと埋める事ができ、ブロック部材の脱落を防止できる。結果として、情報表示機能を十分に発揮できる。
【００２６】
本考案の第８の考案に係る多機能ボードでは、第７の考案に加えて、第２フレーム部材は、底板と対向する蓋を有し、底板および蓋の少なくとも一方は透明もしくは半透明である。
【００２７】
この構成により、伝言板としての利用価値が高まる。
【００２８】
本考案の第９の考案に係る多機能ボードでは、第７又は第８の考案に加えて、第１フレーム部材と第２フレーム部材とを接続する接続部材を更に備える。
【００２９】
この構成により、第１フレーム部材と第２フレーム部材とが確実に接続される。
【００３０】
本考案の第１０の考案に係る多機能ボードでは、第１から第９のいずれかの考案に加えて、第１フレーム部材および第２フレーム部材の少なくとも一方は、ｍ×ｎ列のマスの個数を増加させる、延長部材を取り付け可能である。
【００３１】
この構成により、多機能ボードのマスの数が増加でき、更に多くの用途に用いることができる。
以下、図面を参照しながら、本考案の実施の形態を説明する。
（実施の形態）
【００３２】
まず、多機能ボードの全体概要について説明する。
（全体概要）
【００３３】
まず、図１〜図３を用いて全体概要を説明する。
図１は、本考案の実施の形態における多機能ボードの斜視図である。図１は、多機能ボードのマスの一部にブロック部材がはめ込まれていない状態を示している。
図２は、本考案の実施の形態における多機能ボードの斜視図である。図２は、図１と異なり、全てのマスにブロック部材が嵌め込まれている状態を示している。
図３は、本考案の実施の形態における多機能ボードの正面図である。図３は、全てのマスにブロック部材が嵌め込まれていない状態を示している。
【００３４】
多機能ボード１は、ｍ×ｎ列（ｍ、ｎは整数）のマス５を有する格子状の第１フレーム部材２と、第１フレーム部材２の底面に取り付けられ、マス５の一方の開放面を閉鎖する底板３と、マス５に出し入れ可能な所定形状を有するブロック部材４を備えている。
また、第１フレーム部材２の底板３から高さは、ブロック部材４の底板３からの高さよりも低く、ブロック部材４は、複数の面を有して複数の面のそれぞれは異なる範疇の情報の一部を表示する。
【００３５】
第１フレーム部材２は、ｍ×ｎ列のマス５を有する格子状であるので、このマス５は、ブロック部材４がはめ込まれなければ空洞である。実際には、底板３によってマス５の一方の面は閉鎖され、底板３と対向する面が開放される。この開放されている面から、マス５の一つ一つにブロック部材４が嵌め込まれる。ブロック部材４は、マス５に嵌め込まれるだけの大きさを有している。すなわち、ブロック部材４は、マス５の断面積以下の断面積を有しており、好ましくはブロック部材４は、マス５の断面にぴったりと合う大きさや形状を有している。
【００３６】
ブロック部材４は、図１に示されるように、空いているマス５に嵌め込まれる。全てのブロック部材４がマス５の全てに嵌め込まれると図２のようにマス５の全てがブロック部材４で埋められる。
【００３７】
ブロック部材４の面は、情報の一部を表示するので、ブロック部材４が所定のルールでマス５に嵌め込まれると、多機能ボード１は所定の表示を行える。
【００３８】
図３は、第１フレーム部材２が有するマス５の全てが開放されている状態を示している。第１フレーム部材２は、ｍ×ｎ列のマス５を有しており、これらのマス５は、底板３と逆側が開放されている。マス５に嵌め合わされるブロック部材４は、予め用意されている。ブロック部材４は、複数の面を有する所定形状を有しているが、マス５への嵌め合わせが容易となるようにブロック部材４は、直方体もしくは立方体であることが好ましい。マス５は、方形を有していることが多く、ブロック部材４が直方体もしくは立方体を有することで、ブロック部材４は、マス５にはめ込みやすくなるからである。
【００３９】
ブロック部材４の各面の少なくとも一つの面には、ある範疇の情報の一部が表示されている。例えば、カレンダーの情報の要素を表示する。曜日、日付、月、年などである。ブロック部材４は、空いているマス５に嵌め込まれる。空いているマス５にブロック部材４が嵌め込まれることで、ブロック部材４が表示する情報の一部が集合して、所定の情報を表示できる。
【００４０】
この所定の情報とは、カレンダー、アルファベット、平仮名文字、カタカナ文字、常用漢字などを含み、一つ一つのブロック部材４が表示するこれらの情報の一部が組み合わさることで、使用者の所望する情報を表示できる。
【００４１】
図１では、いくつかのマス５に既にブロック部材４が嵌め込まれており、空いているマス５がいくつか残っている。ブロック部材４は、この空いているマス５に嵌め込まれる。全てのマス５にブロック部材４が嵌め込まれる必要がある場合には、このように空いているマス５にブロック部材４が嵌め込まれる。結果として図２のように、全てのマス５がブロック部材４で埋め尽くされる。
【００４２】
このようにして、多機能ボード１は、月ごとにあわせることができる万年カレンダーを表示したり、漢字やかな文字の組み合わせで伝言板としての情報を表示したりできる。
次に各部の詳細について説明する。
（第１フレーム部材）
【００４３】
第１フレーム部材２は、ｍ×ｎ列（ｍ、ｎは、整数）のマス５を有する格子状の部材である。多機能ボード１の骨格をなす部材である。第１フレーム部材２は、木材、樹脂、合成樹脂、金属、合金およびこれらの組み合わせで形成されれば良いが、使用者へやわらかい感触を与えることから木材であることが好ましい。また、木材であれば、第１フレーム部材２を始めとした多機能ボード１を子供やお年寄り、あるいは障害者の方が製造することも容易である。
【００４４】
第１フレーム部材２は、マス５を含む格子状を有するので、一枚の板をくりぬいて作っても良いし、角材を格子状にくみ上げて作っても良い。作りやすさの点では、後者が適当である。第１フレーム部材２は、木材や樹脂などで作られた後、表面を磨き加工されることも好適である。また、彩色されてもよい。
【００４５】
第１フレーム部材２は、ｍ×ｎ列のマス５を有するが、ｍとｎの数値は任意に定められればよい。しかし、ｍ×ｎ列は９×９列であることも好適である。マス５が、９×９列を有することで、将棋、チェスなどの多くのゲームに多機能ボード１が適用可能となる上、カレンダーのような表示も可能となる。
第１フレーム部材２は、手作業で作られても良いし、機械的に作られても良い。
（マス）
【００４６】
第１フレーム部材２は、ｍ×ｎ列のマス５を有する。
マス５は、ブロック部材４をはめ込むことのできる空洞である。マス５は、第１フレーム部材２においては２側面において開放面を有するが、一方の面は、底板３によって閉鎖されている。このため、マス５は、一方の面からブロック部材４の嵌めこみを受ける。
【００４７】
マス５は、正方形でも長方形でもよいが、ブロック部材４が嵌め込まれる形状と大きさを有している。このため、ブロック部材４が球形や円形であれば、マス５も円形や楕円形を有していても良い。
【００４８】
マス５は、第１フレーム部材２が形成される際に同時に形成されても良いし、板部材で形成された第１フレーム部材２がくりぬかれて、マス５が形成されても良い。
【００４９】
なお、マス５は、ブロック部材４を嵌め込み易くするために、角部が面取りされていたり、摩擦を低減する処理がなされたりしていることも好適である。
（底板）
【００５０】
第１フレーム部材２の一方の面は、底板３を備える。
底板３は、第１フレーム部材２が備えるマス５の一方の面を閉鎖する。この閉鎖によって、マス５に嵌め込まれたブロック部材４は、第１フレーム部材２の中で固定される。底板３は、第１フレーム部材２に後から取り付けられても良いし、同時に形成されても良い。
【００５１】
底板３は、第１フレーム部材２の一方の面の全面に合わせて取り付けられても良いし、マス５をカバーできれば、第１フレーム部材２の一方の面の全面に足りなくても良い。なお、表面処理されたり、装飾が施されたりすることも好適である。
【００５２】
また、多機能ボード１がゲームなどの遊戯機能を発揮する場合には、第１フレーム部材２は、寝かされた状態で使用される。このため、底板３が滑り止めを有しておくことで、ゲームの最中に多機能ボード１が動いたりずれたりしなくなるメリットがある。
【００５３】
また、多機能ボード１がカレンダーや伝言板などの情報伝達機能を発揮する場合には、第１フレーム部材２は、立てられた状態で使用される。このため底板３は、壁に接することになりやすい。この場合にも底板３が滑り止めを有しておくことで、壁に取り付けられた多機能ボード１が動きにくくなる。あるいは、底板３が壁に接触するので、壁を傷つけないように、底板３は衝撃緩和部材を備えていても良い。例えばクッション性を有する布や紙などを備えている。
以上のように、底板３は、滑り止めや衝撃緩和部材を備えておくことが好ましい。
（ブロック部材）
【００５４】
次に、ブロック部材４について説明する。
ブロック部材４は、マス５に嵌めこまれて、多機能ボード１の機能（遊戯機能および情報表示機能）を発揮させる。
【００５５】
ブロック部材４は、第１フレーム部材２と同じく木材、樹脂、合成樹脂、金属、合金、紙およびこれらの組み合わせで形成される。ただし、様々な人が作りやすくなるように木材で作ることが好適である。ブロック部材４は、種々の形状、大きさを有しておればよいが、立方体もしくは直方体であることが使い勝手の点から好ましい。角材を切断するだけで製造できる上、保管やはめ込みも容易だからである。
【００５６】
ブロック部材４は、複数の面を有し、それぞれの面に異なる情報の要素を表示する。ブロック部材４が立方体や直方体であることで、ブロック部材４は６つの面を有する。このため、一つのブロック部材４は６つの情報要素を表示可能である。
【００５７】
一つのブロック部材４が同じジャンルの情報要素を６つの面に表示してしまうと、使い勝手が悪い。使い分けができないからである。このため、一つのブロック部材４は、異なるジャンルの情報要素をそれぞれの面に表示することが好適である。例えば、第１面は、カレンダーの情報要素を表示し、第２面は、平仮名を表示し、第３面は、カタカナを表示し、第４面は常用漢字を表示し、第５面は将棋の駒を表示し、第６面は将棋の裏面の駒を表示する。
【００５８】
こうすれば、多機能ボード１がカレンダーとして用いられる場合には、ブロック部材４の第１面が使用され、多機能ボード１が伝言板として用いられる場合には、ブロック部材４の第２面、第３面、第４面が使用され、多機能ボード１が将棋として使用される場合には、第５面が使用され、多機能ボード１がオセロとして使用される場合には、ブロック部材４の第６面が使用される。他のブロック部材も同様である。
【００５９】
もし、一つのブロック部材の全ての面に、同一ジャンルの情報要素が表示されていると、同じ情報を表示するブロック部材が他にも必要となって、ある個数によるセットのブロック部材は、常にカレンダーだけにしか使えないことが生じてしまう。こうなると、多くのブロック部材４を必要とする。一つのブロック部材が異なる情報を表示していれば、ある個数のセットのブロック部材は、ある面を使えばカレンダーになり、ある面を使えば将棋になって、少ない個数のブロック部材４で済む。
【００６０】
このように、面ごとに表示する情報のジャンルを変えておけば、少ないブロック部材４で、多くのジャンルの情報表示機能や遊戯機能を実現する。
【００６１】
なお、面になんらの情報表示がなされていないブロック部材４と表示用のシールが一緒に提供されて、使用者が、自分の好みに応じてブロック部材４の面に表示を施すことも好適である。この結果、使用者の好みが反映できる上、使い勝手の良い多機能ボード１が実現される。
【００６２】
ブロック部材４の面が表示する情報としては、カレンダーに必要な情報要素、アルファベット、平仮名文字、カタカナ文字、常用漢字、将棋の駒、以後の駒、オセロの駒、チェスの駒などがある。もちろん、これら以外も含む。
【００６３】
これらの情報要素を表示するブロック部材４がマス５に所定ルールで嵌めこまれれば、多機能ボード１は、情報表示機能もしくは遊戯機能を実現できる。
【００６４】
また、シールであることで、使用者が必要に応じて貼りかえることもできる。こうなると、使用者の好みが更に反映できるので、必要となるブロック部材４の数が少なくてすみ（必要であれば、シールを貼りかえればよい）、保管やコストの面でメリットが高い。
表示は、印刷、シールなどの種々の手段によって実現されれば良い。
【００６５】
ブロック部材４は、マス５と嵌合するサイズを有していれば良いし、マス５よりも小さいサイズを有していてもよい。
また、表面が磨き加工されることで、使い勝手がよくなり、角部が面取りされていることも好適である。面取りされていると、ブロック部材４を取り扱う際に怪我をしたりすることが無くなるからである。
（多機能ボードの機能）
【００６６】
多機能ボード１は、大きく分けて「情報表示機能」と「遊戯機能」の２つの機能を発揮する。
次に、多機能ボード１の機能をそれぞれ説明する。
（情報表示）
【００６７】
まず、情報表示機能を説明する。
（カレンダーとしての使用）
【００６８】
多機能ボード１は、マス５に各面に情報の一部を表示するブロック部材４が嵌め込まれる事で、対機能ボード１全体で、種々の情報を表示できる。
【００６９】
まず多機能ボード１がカレンダーとして使用される場合を説明する。
図４は、本考案の実施の形態における多機能ボードの正面図である。
図４は、多機能ボードがカレンダーの機能を果たしていることを示している。すなわち、ブロック部材４は、カレンダーの機能を果たすに必要な情報の要素を有している。
【００７０】
例えば、あるブロック部材４は、「年号」に関る情報を表示し、あるブロック部材４は、「日付」に関る情報を表示し、あるブロック部材４は、「曜日」に関る情報を表示する。
【００７１】
ここで、ブロック部材４が立方体や直方体である場合には、ブロック部材４は６つの面を有することができる。複数のブロック部材４のそれぞれは、それぞれの面に異なる情報要素を表示しておく。
【００７２】
例えば、あるブロック部材４はある面に「年号」を、他の面に「曜日」を表示しておけば、必要に応じて面を変えるだけで、異なる情報を表示できる。特に、同時に使われることの無い情報の要素を、同じブロック部材４が有することで、使い分けが非常に容易になる。
【００７３】
なお、カレンダーを表示する場合には、月によって必要となる曜日の数が異なったりもするので、第１フレーム部材２が有するマス５の数よりも多いブロック部材４が用意されていても良い。
【００７４】
また、日付や曜日を埋める必要のないマス５は、空洞にしておくことでも良いが、見た目が悪くなる。この見た目が悪くなることを防止するために、装飾を表示するブロック部材４を不要なマス５にはめ込むことも好適である。
【００７５】
図４では、日付や曜日を埋める必要のないマス５に、星印を有するブロック部材４が嵌め込まれている。結果として、見た目が向上している。
【００７６】
図５は、本考案の実施の形態における多機能ボードの斜視図である。
図５は、図４に示されるカレンダーを表示できる多機能ボード１を斜めから見た図を示している。ここでは、第１フレーム部材２の有するマス５にブロック部材４を埋め込んでいる途中の状態が示されている。
【００７７】
図５に示されるように、ブロック部材４をマス５にはめ込みながら、カレンダーを完成させる。なお、図５では、曜日は漢字で表されているが、英語表記でもよい。
【００７８】
このように、図５に示されるように、ブロック部材４を所定のルールで配置することで、多機能ボード１は、カレンダーを表示できる。なお、月や年が変わる際には、ブロック部材４を並べ替えればよいので、万年カレンダーとして多機能ボード１を利用することもできる。
（伝言板としての使用）
【００７９】
次に、多機能ボード１が伝言板として使用される場合について説明する。
伝言板は、家庭や職場において、情報伝達のために用いられる。
【００８０】
図６は、本考案の実施の形態における多機能ボードの正面図である。図６は、多機能ボード１が伝言板として使用される状態を示している。
【００８１】
ブロック部材４は、平仮名文字、カタカナ文字、常用漢字、数字を、その面に表示する。このとき、あるブロック部材４は、第１面に平仮名文字、第２面にカタカナ文字、第３面に常用漢字、第４面に数字を表示しておれば、あるブロック部材４が平仮名を表にしてマス５に嵌めこまれても、同じブロック部材４は他の平仮名を有していないので、平仮名が使い尽くされることもないので、効率的である。
【００８２】
図６では、母親から子供への伝言が示されている。
図６の伝言板は、「お母さんより    ごはんのおかずは、れいぞうこにはいっています」との情報を伝達している。加えて、遅くなることと日付も示している。
【００８３】
このように、文字や数字を表示するブロック部材４をマス５に嵌め込むことで、多機能ボード１は、伝言板としての機能を発揮する。
【００８４】
もちろん、ブロック部材４の配置によって、図６の例以外の様々な伝言を表示することができる。
【００８５】
例えば、多機能ボード１が家庭ではなく職場で用いられる場合には、図７のような例も考えられる。
【００８６】
図７は、本考案の実施の形態における多機能ボードの正面図である。図７では、部下から上司への伝言が示されている。
【００８７】
職場では、平仮名やカタカナだけではなく、常用漢字をより多く用いたい。
しかしながら、ブロック部材４の数には限りがあり、常用漢字の全てを表示させることは難しい。一方で、職場での伝言は、上司への伝言、部下への伝言、部内全体への連絡事項などに限られており、その内容も特定の分野に限定される。
【００８８】
例えば、会議や出張の時間の変更、行き先の表示、歓送迎会の案内などである。
現在では、パソコンで作成してプリントアウトした用紙を貼り付けるのが普通であろうが、環境保護やコスト削減の面から、印刷や紙類の使用に制限が多い。このような状況で、図７に示されるような再使用可能な多機能ボード１を伝言板として利用することも考えられる。
【００８９】
このような状況に鑑み、「上司から部下向け」、「部下から上司向け」、「部内全体への連絡事項」、「出張」、「会議」、「歓送迎会」などのジャンルごとに、ブロック部材４を提供すれば、少ないブロック部材で必要な伝言が可能となる。
【００９０】
ここで、多機能ボード１が情報表示機能を発揮する場合には、多機能ボード１は立てて使われることが多い。例えば、壁に取り付けられる。このような場合に、第１フレーム部材２のみではブロック部材４がはみ出ているので安定が悪い。
【００９１】
一方、多機能ボード１が遊戯機能を発揮する場合には、ゲームの最中にマス５からブロック部材４をたびたび取り出したりはめ込んだりする必要がある。このため、多機能ボード１が遊戯として使われる場合には、ブロック部材４の高さよりも低い高さを有する第１フレーム部材２は好適である。
【００９２】
以上のように、多機能ボード１が遊戯機能を発揮する場合には、ブロック部材４は、フレームよりもはみ出ている必要があり、多機能ボード１が情報表示機能を発揮する場合には、ブロック部材４は、フレームに埋もれているほうが適当である。
以上のことから、多機能ボード１は、第２フレーム部材を備えることが好適である。
（第２フレーム部材）
【００９３】
図５は、第２フレーム部材１０を示している。
第２フレーム部材１０は、第１フレーム部材２と高さ方向（底板３に対する高さ方向）に重ねられる。第２フレーム部材１０は、第１フレーム部材２と同様に、ｍ×ｎ列のマス１２を有し、第１フレーム部材２と重ねられると、マス５とマス１２とが連通する。連通すると、第１フレーム部材２と第２フレーム部材１０とが重ねられた高さを有する貫通したマスが形成される。
【００９４】
ブロック部材４は、この連通したマスに嵌め込まれるので、すっぽりと入る。
第２フレーム部材１０が第１フレーム部材２とが重ねられると、そのあわせた高さ（底面からの高さ）は、ブロック部材４の高さ以上となる。この結果、ブロック部材４は、連通したマスにすっぽりと収まることになる。
【００９５】
多機能ボード１は、遊戯機能を発揮する場合には、第１フレーム部材２のみを用いる。第１フレーム部材２の高さは、ブロック部材４よりも低いので、マス５に嵌め込まれたブロック部材４は、第１フレーム部材２よりも高くなる。すなわち、ブロック部材４が第１フレーム部材２のマス５よりも出っ張ることになる。この出っ張りを掴めば、使用者はブロック部材４を異なるマス５に移動させることができる。すなわち、遊戯機能を実現できる。
【００９６】
一方、多機能ボード１が情報表示機能として用いられる場合には、第２フレーム部材１０が第１フレーム部材２に重ねられると良い。
【００９７】
この結果、ブロック部材４は、第１フレーム部材のマス５と第２フレーム部材１０のマス１２とが連通したマスにすっぽりと収まり、出っ張ることがない。多機能ボード１が立てかけられても、ブロック部材４が落ちることが少なくなるので、情報表示機能として使い勝手がよくなる。
【００９８】
なお、第２フレーム部材１０が最初から第１フレーム部材２に重ねられて、ブロック部材４が嵌めこまれてもよいが、第１フレーム部材２にブロック部材４をまず嵌め込んで、ブロック部材４の配置が終わってから第２フレーム部材１０を重ねることも好適である。こうすることで、ブロック部材４のはめ込みが容易となるからである。
【００９９】
逆に、ある情報表示を変更したい場合（カレンダーの月を変更するなどの場合）には、まず第２フレーム部材１０を取り外し、それからブロック部材４を並べ替えることが好適である。
【０１００】
第２フレーム部材１０は、第１フレーム部材２と重ねられるので、同じ形状、材質、大きさを有していれば良い。もちろん、材質やデザインが異なっても良い。但し、製造上の容易性からは、同じフレーム部材を製造し、第１フレーム部材２と第２フレーム部材１０とに使い分けることが好適である。
【０１０１】
また、第２フレーム部材１０は、木材、樹脂、合成樹脂、金属、紙、合金およびこれらの組み合わせで形成されればよい。また、木材で形成されれば、子供やお年寄りの工作によって製造することもできて好適である。
【０１０２】
図８は、第１フレーム部材２に第２フレーム部材１０が重ねられた状態を示している。図８は、本考案の実施の形態における多機能ボードの斜視図である。
【０１０３】
図８は、第１フレーム部材２に第２フレーム部材１０が重ねられ、第１フレーム部材２と第２フレーム部材１０とが接続部材１１で接続されている状態を示している。
【０１０４】
第１フレーム部材２と第２フレーム部材１０とは、それぞれ別部材であるから、重ねただけでは、第２フレーム部材１０の安定が悪い。第２フレーム部材１０を重ねるのは、多機能ボード１を壁に取り付けるなどで垂直方向に沿って設置する場合の固定のためである。これを実現するために、第２フレーム部材１０は、接続部材１１で第１フレーム部材２に接続される。この結果、第１フレーム部材２と第２フレーム部材１０とが固定される。
また、第２フレーム部材１０は、底板３に対向する蓋１５を備えていることも好適であ
る。
【０１０５】
蓋１５は、底板３と対向して、ブロック部材４を押さえる。
蓋１５は、透明もしくは半透明であって、マスに嵌め込まれたブロック部材４の表示が外部から見ることができる。蓋１５によってブロック部材４が固定されて、壁や柱に立てかけられたとしても、多機能ボード１は、表示面が崩れたり落ちたりすることもなく、カレンダーや伝言板として使うことができる。
【０１０６】
図９は、本考案の実施の形態における多機能ボード１の側面図である。図９は、多機能ボード１を横から見た状態を示しており、図９の多機能ボード１は、第２フレーム部材１０および蓋１５をも備えている。
【０１０７】
側面から見ると、底面から底板３、第１フレーム部材２、第２フレーム部材１０、蓋１５の順序で重ねられていることが分かる。また第１フレーム部材２と第２フレーム部材１０とが接続部材１１で接続されている。内部には、ブロック部材４がはめ込まれている（ブロック部材４は、破線で示されている）。
【０１０８】
このように、第１フレーム部材２に第２フレーム部材１０が重ねられると、多機能ボード１が表示機能を発揮する際に、表示面の安定および固定が実現される。
【０１０９】
なお、蓋１５は、第２フレーム部材１０と一体でもよいし別体でもよい。
あるいは、多機能ボード１は、表札として使用されても良い。名前や住所に対応する文字表示を有するブロック部材４をはめ込むことで、多機能ボード１を表札として使用できる。
（遊戯機能）
【０１１０】
次に、多機能ボード１が遊戯機能を発揮する場合について説明する。
多機能ボード１が遊戯機能を発揮するように用いられる場合は、将棋、オセロ、チェス、チェッカーゲームなどに用いられる場合である。
【０１１１】
多機能ボード１は、第１フレーム部材２のみを備え、第２フレーム部材１０を用いなければ、マス５からブロック部材４がはみ出る。このため、使用者は、ブロック部材４をマス５に出し入れしやすい。マス５にブロック部材４を出し入れしやすい状態であることで、ブロック部材４を嵌めこむマス５の位置を変えながら、所定ルールに従ったゲームを楽しむことができる。
【０１１２】
図１０は、ゲームの一例として将棋の状態を示している。
図１０は、本考案の実施の形態における多機能ボードの正面図である。図１０は、多機能ボード１が将棋に用いられる状態を示している。
【０１１３】
将棋は９×９のマスを用いて行われる。このマスの中で、金や歩といった駒を動かしながらゲームを進める。図１０では、将棋の駒の一部が並んでいる状態を示している。駒となっているブロック部材４を必要なマス５に嵌めこめば、将棋としての遊戯が実現する。
【０１１４】
ここで、駒としてのブロック部材４は、マス５にきちんと嵌め込まれるので、動いたりずれたりすることがない。このため、遊戯中に駒がずれるといったストレスが生じず、遊戯の進行がスムーズになるメリットがある。特に、将棋は対局で行われるので、駒となるブロック部材４がずれないということは高いメリットである。また、職場での休み時間などに少しずつ対局を進める場合には、途中経過状態を、確実に保持できるので、再開が容易である。
【０１１５】
例えば、将棋の対局を途中まで進め、その後で第１フレーム部材２の上に第２フレーム部材１０を重ねておけば、途中経過が確実に保持される。対局者同士が、途中進行状態を信頼できるので、遊戯に対するストレスも減少する。
【０１１６】
なお、図１０では、将棋の駒を示す表示を、ブロック部材４が有しているが、子供が多機能ボード１を用いる場合には、ブロック部材４の表示を平仮名にするなども好適である。
【０１１７】
ブロック部材４の表示は、ブロック部材４の６つの面を有効活用できるので、様々な用途展開を図りやすい。
【０１１８】
将棋以外にも、多機能ボード１は、チェスに用いることができる。
図１１は、本考案の実施の形態における多機能ボードの正面図である。
【０１１９】
図１１は、多機能ボード１がチェスに用いられる状態を示している。
チェスは、将棋と異なり８×８列のマスを必要とする。多機能ボード１が将棋およびチェスの両方に使用されるようにするため、９×９列のマス５の縦横１列ずつに、使用禁止を明示するため、黒色で塗装されたブロック部材４を嵌め込んでいる。この結果、８×８列のマス５が残り、このマス５を使用してチェスが行われる。
【０１２０】
使用者は、キング（Ｋ）やクイーン（Ｑ）などの表示を有するブロック部材４をマス５上で移動させながら嵌め込むことでチェスを実施できる。
【０１２１】
また、マス５の周囲には第１フレーム部材２の枠が存在するので、この枠に初期状態の並べ方を記しておけば、チェスの初心者でも楽しめる。当然ながら、駒として使用されるブロック部材４は、マス５に嵌め込まれるので、駒がずれたり動いたりせず、ゲーム中のストレスがない。将棋の場合と同じく、数回に分けて一つの対局を行う場合にも、途中経過状態を確実に保持できるメリットがある。
もちろん、駒を変えれば、チェスではなくチェッカーゲームを楽しむことができる。
【０１２２】
多機能ボード１は、オセロにも用いることができる。
オセロの場合には、黒と白の２種類の駒があればよく、ブロック部材４のある面が黒く塗られていればその面を用いて黒の駒とし、それ以外を白の駒とすれば良い。
【０１２３】
ブロック部材４は、立方体や直方体であれば６面を有するので、あるブロック部材４の第１面は将棋の駒、第２面は将棋の裏面の駒、第３面はチェスの駒、第４面はチェッカーの駒、第５面と第６面はオセロの駒、との表示を施しておけば、最小の数のブロック部材４で、４種類のゲームを楽しむことができる。
この最小の数とは、９×９列を埋める個数である。
【０１２４】
このように、多機能ボード１は、種々のゲームに対応する遊戯機能を発揮する。なお、マス５は何列でもよいが、９×９列であれば、多くのゲームに対応できる。もちろん、それ以上であれば、囲碁にも対応できるので、９×９列以上のマス５であってよい。あるいは、第１フレーム部材２の周囲に、マス５の数を増加させる延長部材を取り付けるようにしてもよい。
【０１２５】
図１２は、この延長部材を取り付ける状態を示している。
図１２は、本考案の実施の形態における多機能ボードの正面図である。
多機能ボード１は、所定の列数のマス５を有しており、情報表示機能として用いる場合や遊戯機能として用いる場合のいずれでも使用が可能な列数のマス５を有している。例えば、９×９列のマス５を有していれば、オセロ、チェス、将棋のいずれでも用いることができる。
【０１２６】
しかしながら、囲碁は９×９列以上を必要とする。
このような場合も想定して、最初から多くの列数を有する第１フレーム部材２を形成するのは、持ち運びや保管の点でデメリットがある。
【０１２７】
このようなマス５を増やす必要性に対しては、図１２に示されるように、第１フレーム部材２に延長部材３０、３１を取り付けることが適当である。図１２では、第１フレーム部材２の右側から延長部材３０を、第１フレーム部材２に取り付け、第１フレーム部材２の下側から延長部材３１を、第１フレーム部材２に取り付けている。
【０１２８】
延長部材３０は、２×１１列のマス４０を有しており、延長部材３１は、２×９列のマス４１を有している。延長部材３０、３１は、例えばほぞや接続部材などで、第１フレーム部材２に取り付けられれば良い。
【０１２９】
延長部材３０、３１が第１フレーム部材２に取り付けられると、多機能ボード１は、１１×１１列のマスを有することになる。もちろん、延長部材３０、３１のマス４０，４１の数によって、最終的な多機能ボード１のマスの個数は自由に変えられる。マスの数が増えれば、遊戯機能として用いる場合でも適用範囲が広がり、情報表示機能（例えば伝言板）として用いる場合でも適用範囲が広がるメリットがある。
【０１３０】
以上のように、延長部材を取り付けることで、多機能ボード１は、マスの数を増加させ、適用用途を増やすことができる。
【０１３１】
多機能ボード１は、情報表示機能を発揮する場合には、カレンダー、伝言板、表札、子供の文字の練習などに使用される。同様に、遊戯機能を発揮する場合には、将棋、チェス、チェッカー、囲碁、オセロなどに使用される。
【０１３２】
いずれの場合でも、マスとブロック部材との最適な組み合わせで実現される。特に、ブロック部材の各面に最適に情報要素を配置することで、少ないブロック部材で情報表示機能や遊戯機能を実現できる。加えて、情報表示機能として使用する場合には、第２フレーム部材によって、ブロック部材の脱落を防止できて情報伝達が確実に行える。遊戯機能として使用する場合には、第１フレーム部材のみとすることで、第１フレーム部材から出っ張るブロック部材を入れ替えながら、ゲームを楽しむことができる。
【０１３３】
また、本実施の形態で説明した多機能ボードは、木材や樹脂などで容易に製造できるので、お年寄りや子供の工作素材として活用されるメリットもある。加えて、障害者の方々の軽作業によって製造されることもメリットがある。障害者の方々への新しい業務の提供もできる。
【０１３４】
なお、実施の形態で説明された多機能ボードは、本考案の趣旨を説明する一例であり、本考案の趣旨を逸脱しない範囲での変形や改造を含む。
【符号の説明】
【０１３５】
１    多機能ボード
２    第１フレーム部材
３    底板
４    ブロック部材
５    マス  
１０    第２フレーム部材
１１    接続部材
１２    マス
３０、３１    延長部材
【図１】
0003154746.tif 000003
【図２】
0003154746.tif 000004
【図３】
0003154746.tif 000005
【図４】
0003154746.tif 000006
【図５】
0003154746.tif 000007
【図６】
0003154746.tif 000008
【図７】
0003154746.tif 000009
【図８】
0003154746.tif 000010
【図９】
0003154746.tif 000011
【図１０】
0003154746.tif 000012
【図１１】
0003154746.tif 000013
【図１２】
0003154746.tif 000014